(57)【要約】【課題】商品見本の保持が簡易迅速に行えるようにする。【解決手段】下方に突出する底膨出部１４の下端において広がり奥に端縁１６ａを有する下端板１６を備えた商品見本１１を着脱可能に保持する商品見本保持構造１２において、展示台３１に底膨出部１４を収容する大きさの凹所１５を形成する。凹所１５内には、奥から手前に延びて下端板１６の上面を押さえる押さえ片５１と、押さえ片５１の周囲に隙間５３を隔てて位置して下端板１６の下面を受ける底板５４を形成する。押さえ片５１の下面を、底板５４の上面と面一に設定して、凹所１５内において下端板１６を挟み付けて保持させる。【選択図】図１
2020134861.tif 000002
【特許請求の範囲】
【請求項１】
下方に突出する底膨出部の下端において広がり奥に端縁を有する下端板を備えた商品見本を保持する商品見本保持構造であって、
前記底膨出部を収容する大きさの凹所が形成され、
前記凹所内には、奥から手前に延びて前記下端板の上面を押さえる押さえ片と、
前記押さえ片の周囲に隙間を隔てて位置して前記下端板の下面を受ける底板が形成され、
前記押さえ片の下面が、前記底板の上面と面一、または面一となる高さよりも低い位置に設定された
商品見本保持構造。
【請求項２】
前記隙間が、手前を円弧とする平面視略馬蹄形である
請求項１に記載の商品見本保持構造。
【請求項３】
前記凹所の奥行が、前記底膨出部の奥行よりも長い
請求項１または請求項２に記載の商品見本保持構造。
【請求項４】
前記底膨出部の下端に、外周に張り出す補強部が形成された
請求項１から請求項３のうちいずれか一項に記載の商品見本保持構造。
【請求項５】
商品見本を着脱可能に保持する商品見本展示台装置であって、
展示部に固定されるベースプレートと、
前記ベースプレート上に着脱可能に取り付けられる取り付け板を備え、
前記取り付け板に、請求項１から請求項４のうちいずれか一項に記載の商品見本保持構造が１個以上形成された
商品見本展示台装置。
【請求項６】
商品見本を着脱可能に保持する商品見本展示台装置であって、
展示部に固定されるステージに、請求項１から請求項４のうちいずれか一項に記載の商品見本保持構造が１個以上形成された
商品見本展示台装置。
【請求項７】
前記取り付け板が、左右方向の端部に互いに結合し合う連結部を有した複数の部材で構成された
請求項５に記載の商品見本展示台装置。
【請求項８】
前記連結部が、前記取り付け板の奥行方向の幅よりも狭い首部と、前記首部の端において奥行方向に張り出す張り出し部を備えた凸部と、
前記張り出し部が上下方向から入る溝部と、前記首部に対応する部分に嵌る嵌合片を備えた凹部であり、
前記首部の奥行方向の外側面と前記嵌合片の奥行方向の内側面に、前記取り付け板の上面を面一にする嵌り合い状態を得る規制面が形成された
請求項７に記載の商品見本展示台装置。
【発明の詳細な説明】
【技術分野】
【０００１】
この発明は、例えば缶やボトルなどの飲料容器等を模した商品見本を自動販売機等に展示するための商品見本保持構造に関する。
【背景技術】
【０００２】
前述のような商品見本保持構造として、下記特許文献１のようなものがある。この構造は、商品見本の下端の挿入部を取付け穴に嵌めて、取付け穴の内部で水平に延びる係止部の下に挿入部の底板を係止するというものである。この係止により、底板の上面が係止部の下面に押し当てられ、商品見本の底部における挿入部よりも外周部分が、取付け穴の周囲の上面に押し当てられて、商品見本が取付け穴にガタつきなく保持される。係止部の下面は、取付け穴の底の上面よりも上に位置している。
【０００３】
このような構成であるため、商品見本の係止に際しての部材間の遊びが少ない。
【先行技術文献】
【特許文献】
【０００４】
【特許文献１】特開２０１７−７３０２５号公報
【発明の概要】
【発明が解決しようとする課題】
【０００５】
この発明は、商品見本の着脱が簡易迅速に行えるなど取り扱い性を良くすることを主な目的とする。
【課題を解決するための手段】
【０００６】
そのための手段は、下方に突出する底膨出部の下端において広がり奥に端を有する下端板を備えた商品見本を保持する商品見本保持構造であって、前記底膨出部を収容する大きさの凹所が形成され、前記凹所内には、奥から手前に延びて前記下端板の上面を押さえる押さえ片と、前記押さえ片の周囲に隙間を隔てて位置して前記下端板の下面を受ける底板が形成され、前記押さえ片の下面が、前記底板の上面と面一、または面一となる高さよりも低い位置に設定された商品見本保持構造である。
【０００７】
この構成では、商品見本の底膨出部の下端板を若干たわませて凹所の手前から奥に向けて押さえ片の下にもぐらせるように差し込むと、下端板が押さえ片と底板に挟み込まれて保持され、底膨出部は凹所に収まる。
【発明の効果】
【０００８】
この発明によれば、商品見本は下端板が凹所の底に位置する底板と押さえ片に挟まれて保持される構成であるので、商品見本の保持が簡易迅速に行える。商品見本の底膨出部は凹所に収まるので、底膨出部と凹所の間に遊びがあっても、底膨出部は凹所内で移動が制限されて凹所内に保持される。
【図面の簡単な説明】
【０００９】
【図１】商品見本保持構造の断面図。
【図２】商品見本展示台装置の分解斜視図。
【図３】取り付け板の分解斜視図。
【図４】４個の凹所を有する取り付け板担体の斜視図。
【図５】６個の凹所を有する取り付け板担体の斜視図。
【図６】取り付け板担体とエンド部材の斜視図。
【図７】取り付け板担体とエンド部材の斜視図。
【図８】エンド部材の斜視図。
【図９】１個の凹所を有する取り付け板担体の斜視図。
【図１０】凹所の平面図。
【図１１】図１０のＡ−Ａ断面図。
【図１２】連結部の斜視図。
【図１３】連結部の結合態様を示す分離状態の断面図。
【図１４】商品見本を保持させる際の状態を示す断面図。
【図１５】商品見本を保持した状態の本体部の下端部位置での横断面図。
【図１６】商品見本を保持した状態の底膨出部の上端位置での横断面図。
【発明を実施するための形態】
【００１０】
この発明を実施するための一形態を、以下図面を用いて説明する。  
図１に、商品見本の一例として飲料容器を模した商品見本１１を着脱可能に保持するための商品見本保持構造１２の断面図を示す。
【００１１】
商品見本保持構造１２は、商品見本１１の本体部１３の下端において下方に突出する底膨出部１４を、商品見本１１を展示する部位に形成された凹所１５に商品見本１１保持するものである。底膨出部１４の下端には、下端において広がる下端板１６を備えている。下端板１６は奥である背面側に直線状の端縁１６ａを有する。凹所１５は底膨出部１４を収容する大きさである。つまり、凹所１５の平面視形状は底膨出部１４の平面視形状よりも大きく、凹所１５の深さは、底膨出部１４の上下方向の長さと同一か、それよりも短く設定されている。このような凹所１５の底に、商品見本１１の下端板１６を挟む構造が形成されている。
【００１２】
商品見本１１の本体部１３は、前面を所望の形態に膨らませた平面視半円形をなす立体形状で、少なくとも下端に、水平方向に広がり半円形をなす下端部１３ａを有している。商品見本１１の全体は、可撓性を有する薄い合成樹脂を真空成形して形成されている。
【００１３】
下端部１３ａの底には、下端部１３ａのよりも小さい平面視半円形状の、前述した底膨出部１４が形成されている。底膨出部１４は、下端に形成された前述の下端板１６と、下端板１６を下端部１３ａに接続する横断面形状半円形の周壁部１７を有し、周壁部１７の下端には、外周に張り出す補強部１７ａが形成されている。補強部１７ａの縦断面形状は略半円弧状である。下端部１３ａにおける底膨出部１４の形成位置は背面側に寄っており、底膨出部１４における下端板１６の端縁１６ａは、商品見本１１の背面１１ａと面一である。
【００１４】
商品見本１１の背面１１ａは全体が開口しており、開口部分の縁は、外側に張り出す縁部１１ｂを有している。縁部１１ｂの張り出し量は、部位に応じて異なり、少なくとも底膨出部１４においては、極わずかでよい。
【００１５】
商品見本１１を保持する部位、つまり展示台３１は、図２に示したように自動販売機の展示部を構成する背面板３２に固定されるベースプレート３３と、ベースプレート３３上に着脱可能に取り付けられる取り付け板３４で構成されている。これらのうちの取り付け板３４に前述した商品見本保持構造１２の凹所１５が形成される。
【００１６】
ベースプレート３３は、金属板で所定の長さの長尺棒状に形成されており、上面が開口した溝部３３ａを、手前側に位置する手前壁部３３ｂと、奥側に位置する奥壁部３３ｃと、これらの下端を連結する底板部３３ｄで構成している。図２中、３５は、ベースプレート３３を背面板３２に固定するブラケットである。
【００１７】
取り付け板３４は、図２に示したように、ベースプレート３３の溝部３３ａに取り付け可能な所定長さの細幅板状に形成されている。このような取り付け板３４は、図３に示したように、前述の凹所１５を有し互いに連結可能な複数の取り付け板担体３４ａと、前述の凹所１５を持たず取り付け板３４の両端に連結されるエンド部材３４ｂ，３４ｃで構成される。つまり取り付け板３４は、左右方向の端部で互いに結合し合う複数の部材で構成されている。
【００１８】
図４に、４個の凹所１５を有する取り付け板担体３４ａの斜視図を、図５に６個の凹所１５を有する取り付け板担体３４ａの斜視図を、図６に一方のエンド部材３４ｂの斜視図を、図７に他方のエンド部材３４ｃの斜視図を、図８に、図７に示したエンド部材３４ｃの角度の異なる斜視図を示す。
【００１９】
取り付け板担体３４ａの凹所１５の数は１個以上の適宜の数に設定されるものであり、例えば図９に示したように、１個であってもよい。
【００２０】
取り付け板担体３４ａは、ベースプレート３３の溝部３３ａに取り付け可能な厚さの板状であり、一方向、つまり左右方向に長い形状に合成樹脂で形成されている。取り付け板担体３４ａの手前側の面の下端には、凹所１５を形成する位置に対応させて平面視長方形板状の突片３６が所定間隔おきに形成され、奥側の面には、縦、つまり取り付け板担体３４ａの厚さ方向に延びるリブ３７（図１参照）がリブ３７同士の間に適宜間隔をあけて配設されている。
【００２１】
また、取り付け板担体３４ａの長手方向、つまり左右方向の両方の端部にそれぞれ、互いに結合し合う連結部３８が形成されている。
【００２２】
以下、先に凹所１５の構成について説明し、つぎに連結部３８の構成について説明する。
【００２３】
図１０に、凹所１５の平面図を、図１１に図１０のＡ−Ａ断面図を示す。凹所１５は、商品見本１１の底膨出部１４の平面視形状に対応させて平面視略半円形に形成され、横断面形状の円弧状部分を手前に、直線状部分を奥に配置している。凹所１５の平面視の大きさは、底膨出部１４の平面視の大きさよりも大きい。特に、凹所１５の奥行は底膨出部１４の奥行よりも長い（図１０の仮想線参照）。
【００２４】
凹所１５内における下端位置よりも若干上の位置には、奥から手前に水平に延びる押さえ片５１が形成されている。押さえ片５１は適宜幅の板状であり、先端部５１ａが円弧状をなしており、斜め上に向けて傾斜している。押さえ片５１の幅は、狭すぎず広すぎず設定されるのが好ましく、おおよそ凹所１５の幅の３分の１程度に設定されるとよい。また押さえ片５１の中心部には奥行方向に長い平面視長円形の貫通穴５２が形成されている。
【００２５】
凹所１５内における下端位置には、押さえ片５１の周囲に隙間５３を隔てて位置する底板５４が形成されている。底板５４は、凹所１５の手前側内周面５７の円弧状の部分から奥側に向けて延びており、押さえ片５１の周囲に、手前を円弧とする平面視略馬蹄形、換言すればＵ字形の前述した隙間５３を形成している。隙間５３の幅は適宜設定される。底板５４の付け根部分、つまり底板５４における凹所１５の円弧状の部分から延びた先端であって、前述の隙間５３以外の部位は、対向部位に接することなく、対向する部位との間に空間５５を有している。
【００２６】
押さえ片５１と底板５４は、凹所１５の平面視の輪郭線位置から延設されているので、凹所１５の奥側には、奥に位置する奥側内周面５６が、取り付け板担体３４ａの高さ全体にわたって形成されていることになる。また、凹所１５の手前側には、手前に位置する手前側内周面５７が底板５４の上面に達するまでの高さで形成されていることになる。
【００２７】
押さえ片５１は、商品見本１１の下端板１６の上面を押さえる部分であり、底板５４は、商品見本１１の下端板１６の下面を受ける部分である。押さえ片５１の下面は、底板５４の上面と面一、または面一となる高さよりも低い位置に設定される。図示例では、図１１に示したように、押さえ片５１の下面と底板５４の上面は面一である。
【００２８】
なお、凹所１５の平面形状において、輪郭線に内外に出入りする複数の凹凸部５８が形成されているが、これは商品見本１１の底膨出部１４の外周面に形成されている回転規制等のための適宜の凹凸部（図示せず）の存在を許容するものであり、省略してもよい。
【００２９】
連結部３８は、図３、４、５、９に示したように、互いに結合し合う凸部６１と凹部６５である。
【００３０】
凸部６１は、図１２に示したように、取り付け板担体３４ａの奥行方向の幅よりも狭い首部６２と、首部６２の端において奥行方向に張り出す張り出し部６３を備えている。首部６２は、取り付け板担体３４ａの奥行方向の中間部に形成され、張り出し部６３は、奥行方向の両外方に突出している。首部６２の幅は、強度の点からある程度の幅があるとよく、おおよそ奥行の３分の１程度に設定されるとよい。張り出し部６３の長さは、取り付け板担体３４ａの奥行方向の長さ未満である。
【００３１】
首部６２の奥行方向の外側面には、取り付け板担体３４ａ同士の連結に際してそれらの上面を面一にする嵌り合い状態を得る規制面として、厚み方向の下側ほど首部６２を幅広とする傾斜面６２ａが形成されている。
【００３２】
また、取り付け板担体３４ａ同士の嵌り合い状態を保持する係止手段の一方として、張り出し部６３の奥行方向における中間部に、係止段部７１が形成されている。係止段部７１は、取り付け板担体３４ａの長手方向の端において、取り付け板担体３４ａの厚み方向の下部を水平に切り欠いた形状である。係止段部７１を有する部位には、取り付け板担体３４ａの上面から極浅い規制溝７１ａが形成されている。
【００３３】
凹部６５は、図７にみられるように、凸部６１の張り出し部６３が上下方向のうち下から嵌る溝部６６と、凸部６１の首部６２に対応する部分に嵌る嵌合片６７を備えている。溝部６６は、取り付け板担体３４ａの奥行方向の中間部を中心に略全体にわたって形成され、嵌合片６７は、奥行方向の両端から内方に向けて突設されている。嵌合片６７は前述のように首部６２に対応する部分に嵌るものであるので、首部６２に対応する間隔を隔てて一対形成されることになる。
【００３４】
嵌合片６７の奥行方向の内側面、つまり一対の嵌合片６７の先端面には、取り付け板担体３４ａ同士の連結に際してそれらの上面を面一にする嵌り合い状態を得る規制面として、厚み方向の下側ほど奥行方向外側に傾く傾斜面６７ａが形成されている。図１３に示したように、嵌合片６７の傾斜面６７ａの傾斜角度は、首部６２の傾斜面６２ａの傾斜角度と同じである。
【００３５】
また、取り付け板担体３４ａ同士の嵌り合い状態を保持する係止手段の他方として、溝部６６の内面における奥行方向の中間部に、係止爪部７５が形成されている。係止爪部７５は、取り付け板担体３４ａの長手方向の端に長手方向に弾性変位可能に垂設されており、下端部には、長手方向の外側に突出する爪７５ａが形成されている。係止爪部７５の幅は、凸部６１の規制溝７１ａに収まる幅であり、爪７５ａの形成位置は、凸部６１の係止段部７１に係止する位置である。
【００３６】
なお、連結部３８を介して接続した場合でも、連結部３８なしに隣り合う場合でも、凹所１５同士の配設間隔が一定の間隔になるように、連結部３８の位置や大きさは設定される。
【００３７】
前述したエンド部材３４ｂ，３４ｃは、互いに連結される取り付け板担体３４ａのうち端に位置するものに連結されるものであり、前述した連結部３８の凸部６１と凹部６５のうちの一方が形成されている。
【００３８】
図６に示したエンド部材３４ｂは、取り付け板担体３４ａの凸部６１を有する側の端部に連結されるものであり、前述した凹部６５と同一形状の凹部６５が形成されている。構成が同一であるので、エンド部材３４ｂの凹部６５については、前述した凹部６５の場合と同一の符号を付してその詳しい説明を省略する。エンド部材３４ｂの凹部６５には係止爪部７５も同様に形成されており、これについても、凹部６５の係止爪部７５と同一の符号を付してその詳しい説明を省略する。
【００３９】
エンド部材３４ｂにおける凹部６５と反対側の面は、凹部６５を有する部分よりも下に延びる板状の垂下片７９を有している。
【００４０】
図７、図８に示したエンド部材３４ｃは、取り付け板担体３４ａの凹部６５を有する側の端部に連結されるものであり、前述した凸部６１と同一形状の凸部６１が形成されている。構成が同一であるので、エンド部材３４ｃの凸部６１については、前述した凸部６１の場合と同一の符号を付してその詳しい説明を省略する。エンド部材３４ｃの凸部６１には係止段部７１も同様に形成されており、これについても、凸部６１の係止段部７１と同一の符号を付してその詳しい説明を省略する。
【００４１】
エンド部材３４ｃにおける凸部６１と反対側の面は、凸部６１を有する部分よりも下に延びる板状の垂下片７９を有している。
【００４２】
以上のような構成の商品見本展示台装置では、図２に示したように背面板３２に固定されたベースプレート３３に対して、図３に示したように必要数、必要種類の取り付け板担体３４ａ同士を連結するとともに、これにエンド部材３４ｂ，３４ｃを連結して、取り付け板３４を組み立てる。
【００４３】
連結部３８による連結に際しては、各部材の凸部６１と凹部６５をそれぞれ上下方向で嵌合し合う。凸部６１と凹部６５が嵌り合うと、凸部６１と凹部６５の互いの傾斜面６２ａ，６７ａ同士が当接して、各部材の位置関係が正しく規制されるとともに、係止段部７１と係止爪部７５同士が係合して、各部材の正しい位置関係が維持される。
【００４４】
組み立てられた取り付け板３４は、ベースプレート３３に固定される。このあと、取り付け板３４の各凹所１５に対して商品見本１１を取り付ける。
【００４５】
商品見本１１の取り付けは、図１４に示したように行う。つまり、商品見本１１の平面視半円形の本体部１３を両側からつぶすようにわずかに手で挟み付ける。すると、底膨出部１４の下端板１６が撓んで、下方に凸に湾曲する。この状態で商品見本１１の下端板１６の端縁１６ａを凹所１５内の押さえ片５１と底板５４の間に隙間５３に差し入れる。凹所１５の奥行は底膨出部１４の奥行りも長いので、底膨出部１４を斜めに傾けて差し込む動作は容易である。また、底膨出部１４の下端には補強部１７ａが形成されているので、安定した差込動作が行える。
【００４６】
底膨出部１４を差し込んで下端板１６が水平になると、取り付け作業は完了する。下端板１６は、押さえ片５１の下面に押さえつけられるとともに、底板５４の上面で支えられる。押さえ片５１の下面と底板５４の上面は面一であるので、下端板１６はこれらに挟み付けられることになる。また、本体部１３の下端部１３ａ位置の横断面図である図１５と、底膨出部１４の上端位置の横断面図である図１６に示したように、底膨出部１４と凹所１５の間には比較的大きな隙間が存在することになるが、底膨出部１４と凹所１５の平面視形状は略相似形状であるとともに、それらの形状が平面視半円形であって、凹所１５には奥側内周面５６も手前側内周面５７も存在するので、商品見本１１が不測に外れるようなことは防止される。
【００４７】
商品見本１１を凹所１５から外すときには、商品見本１１を手に持って、商品見本１１の上部を奥に向け傾けるようにして引き上げる。手で持つことと引き上げ動作に伴って、商品見本１１は可撓性をもって自然に変形し、凹所１５からスッと外れる。
【００４８】
このように、商品見本１１は下端板１６を少し撓ませて凹所１５の押さえ片５１と底板５４の間の隙間５３に差し込めば、下端板１６が底板５４と押さえ片５１に挟まれて保持される構成であり、取り外しも一連の動作で行える。このため、商品見本１１の保持が簡易迅速に行える。保持作業は、隙間５３が平面視略馬蹄形であることから、引っかかりなくより自然な動作で作業できる点で至極容易であるといえる。
【００４９】
しかも、商品見本１１の底膨出部１４は凹所１５に収まるので、底膨出部１４と凹所１５の間に遊びがあっても、底膨出部１４は凹所１５内で移動が制限されて凹所１５内に保持されることになる。この点からも、商品見本１１の取り付け作業の簡易迅速性を向上できる。
【００５０】
また、商品見本１１は縁部１１ｂと補強部１７ａを有しているので、強固な保持状態も得られる。
【００５１】
展示台３１は、ベースプレート３３と取り付け板３４で構成されているので、ベースプレート３３さえ固定できれば、既存の自動販売機にも適用できる。このため、商品見本１１の展示が取り扱い性良く行える。
【００５２】
そのうえ取り付け板３４は凹所１５の数も異なる複数の取り付け板担体３４ａを組み合わせて構成されるので、左右方向の長さの異なる自動販売機にも対応できる。エンド部材３４ｂ，３４ｃには長さの異なるものを用意しておくとよい。
【００５３】
以上はこの発明を実施するための一形態の構成であって、この発明は前述の構成のみに限定されるものではなく、その他の構成を採用することができる。
【００５４】
たとえば、取り付け板３４は前述のような連結式の構成ではなく、一つの部材からなるものであってもよい。
【００５５】
展示台装置は、展示部に固定されるステージのみで構成され、このステージに商品見本保持構造の凹所１５が直接、１個以上形成されたものであってもよい。凹所１５と、凹所１５内に必要な各部は、前述のような合成樹脂製でなくとも、金属板で構成することもできる。この場合、凹所１５内における前述したような取り付け板３４の厚さの方向に長い奥側内周面５６や手前側内周面５７は、省略できる。
【００５６】
また、連結部３８の近傍の構成について、規制面は傾斜面６２ａ，６７ａで構成するほか、段差等で構成してもよい。係止段部７１や係止爪部７５からなる係止手段は省略してもよい。
【符号の説明】
【００５７】
１１…商品見本
１２…商品見本保持構造
１４…底膨出部
１５…凹所
１６…下端板
１６ａ…端縁
１７ａ…補強部
３１…展示台
３３…ベースプレート
３４…取り付け板
３４ａ…取り付け板担体
３４ｂ，３４ｃ…エンド部材
３８…連結部
５１…押さえ片
５３…隙間
５４…底板
６１…凸部
６２…首部
６２ａ…傾斜面
６３…張り出し部
６５…凹部
６６…溝部
６７…嵌合片
６７ａ…傾斜面
【図１】
2020134861.tif 000003
【図２】
2020134861.tif 000004
【図３】
2020134861.tif 000005
【図４】
2020134861.tif 000006
【図５】
2020134861.tif 000007
【図６】
2020134861.tif 000008
【図７】
2020134861.tif 000009
【図８】
2020134861.tif 000010
【図９】
2020134861.tif 000011
【図１０】
2020134861.tif 000012
【図１１】
2020134861.tif 000013
【図１２】
2020134861.tif 000014
【図１３】
2020134861.tif 000015
【図１４】
2020134861.tif 000016
【図１５】
2020134861.tif 000017
【図１６】
2020134861.tif 000018